(57)【要約】【課題】可変入賞装置が何らかの要因により劣化して、球受部材が常に一定の開成位置で回動規制されるように調節することが出来る弾球遊技機を提供すること。【解決手段】遊技領域に発射された遊技球が入賞しやすい第１の状態と、入賞しない、または入賞しがたい第２の状態とに変化可能な可変入賞装置６０は、遊技球の入賞口の近傍に回動自在に設けられた球受部材６５ａ、６５ｂを回動させることで、前記第１の状態と前記第２の状態とに変化するように構成されており、球受部材６５ａ、６５ｂの回動範囲を規制するための第１の規制手段による規制機能が無効となったときに、球受部材６５ａ、６５ｂとの当接規制位置を調節することで開成範囲を規制する第２の規制手段１２０ａ、１２０ｂが設けられている。【選択図】　　図９
2004049755.tif 000002
【特許請求の範囲】
【請求項１】
遊技領域に発射された遊技球が入賞しやすい第１の状態と、入賞しない、または入賞しがたい第２の状態とに変化可能な可変入賞装置を備えた弾球遊技機であって、
前記可変入賞装置は、遊技球の入賞口の近傍に回動自在に設けられた球受部材を回動させることで、前記第１の状態と前記第２の状態とに変化するように構成されており、
前記球受部材の回動範囲を規制するための第１の規制手段と、
該第１の規制手段とは別個に設けられ、該第１の規制手段による規制機能が無効となったときに、前記球受部材に当接することで前記球受部材の開成範囲を規制するとともに、該球受部材との当接規制位置を調節可能に構成された第２の規制手段と、を備えることを特徴とする弾球遊技機。
【請求項２】
前記第２の規制手段は、前記第１の規制手段にて規制された回動範囲内で開成された前記球受部材に接触しないように設けられている請求項１に記載の弾球遊技機。
【請求項３】
前記第２の規制手段は、前記第１の規制手段にて規制された回動範囲内で開成された前記球受部材に遊技球の負荷が加わった状態においても、前記球受部材に接触しないように設けられている請求項２に記載の弾球遊技機。
【請求項４】
前記第２の規制手段は、前記遊技領域が前面に形成される遊技盤に植設される遊技釘から構成されている請求項１〜３のいずれかに記載の弾球遊技機。
【請求項５】
前記球受部材は、一端側に設けられた回動軸を中心に回動自在に設けられており、前記第２の規制手段は、開成された前記球受部材の長手方向略中央部下方を当接規制する位置に設けられている請求項１〜４のいずれかに記載の弾球遊技機。
【請求項６】
遊技領域に設けられた始動領域を遊技球が通過したことに基づいて所定の始動態様にて前記可変入賞装置を第１の状態に制御し、前記可変入賞装置に入賞した遊技球が複数の領域のうちの特定の領域に進入したことに基づいて前記始動態様より遊技者に有利な特定態様で前記可変入賞装置が第１の状態に制御される特定遊技状態に制御する請求項１〜５のいずれかに記載の弾球遊技機。
【請求項７】
前記第２の規制手段は、前記球受部材が閉成された状態において、前記可変入賞装置との間に少なくとも１個の遊技球が通過可能な間隙が形成されるように設けられている請求項１〜６のいずれかに記載の弾球遊技機。
【発明の詳細な説明】
【０００１】
【発明の属する技術分野】
本発明は、遊技領域に発射された遊技球が入賞しやすい第１の状態と、入賞しない、または入賞しがたい第２の状態とに変化可能な可変入賞装置を備えた弾球遊技機に関する。
【０００２】
【従来の技術】
従来、パチンコ球を用いて遊技を行う弾球遊技機には、一般的に、いわゆるチューリップと称される可変入賞装置が遊技盤に配設されていた。この可変入賞装置としては、例えば実公昭６３−５７４４号公報等に記載されているように、遊技盤に装着される取付部材に設けられたパチンコ球が通過可能な開口部の左右両側に、一対の球受片（球受部材）回動自在に設けられ、この球受片を拡開状態に開成することでパチンコ球を受けて前記開口部へ導くように構成された装置等があった。
【０００３】
上記公報に記載の可変入賞装置の一対の球受片は、レバー等の連係機構を介してソレノイドに連係され、ソレノイドの駆動をＯＮ／ＯＦＦさせることで開閉するようになっている。また、球受片の回転軸の外側にはストッパ突起（規制手段）が設けられ、球受片の開成角度が規制されるようになっており、これにより球受片が所定角度以上に開成して、想定していた以上のパチンコ球の入賞や球詰まり等の発生しないようになっている。
【０００４】
【発明が解決しようとする課題】
しかしながら、上記可変入賞装置にあっては、球受片がストッパ突起に当接することで開成角度が規制されるため、球受片の開閉が繰り返されると、球受片及びストッパ突起における当接部が接触により磨り減るなど物理的に劣化することがあり、これにより球受片の開成角度が必要以上に大きくなってしまうことがあった。
【０００５】
そして、このように球受片やストッパ突起が磨り減るなど物理的に劣化してしまった場合、これら部材を交換するか、あるいは場合によっては装置全体を交換しなければならず、製造コストが嵩むとともに、メンテナンスが困難であるといった問題を有していた。
【０００６】
本発明は、このような問題点に着目してなされたもので、可変入賞装置が何らかの要因により劣化しても、球受部材が常に一定の開成位置で回動規制されるように調節することが出来る弾球遊技機を提供することを目的とする。
【０００７】
【課題を解決するための手段】
上記課題を解決するために、本発明の弾球遊技機は、遊技領域に発射された遊技球が入賞しやすい第１の状態と、入賞しない、または入賞しがたい第２の状態とに変化可能な可変入賞装置を備えた弾球遊技機であって、
前記可変入賞装置は、遊技球の入賞口の近傍に回動自在に設けられた球受部材を回動させることで、前記第１の状態と前記第２の状態とに変化するように構成されており、
前記球受部材の回動範囲を規制するための第１の規制手段と、
該第１の規制手段とは別個に設けられ、該第１の規制手段による規制機能が無効となったときに、前記球受部材に当接することで前記球受部材の開成範囲を規制するとともに、該球受部材との当接規制位置を調節可能に構成された第２の規制手段と、を備えることを特徴としている。
この特徴によれば、部材の劣化等の要因により第１の規制手段による規制機能が無効となっても、球受部材や第１の規制手段等を交換することなく、第２の規制手段における球受部材との当接規制位置を調節することで、第１の規制手段にて規制されていた正規の開成範囲にて球受部材を容易に規制することが出来るため、可変入賞装置の耐久性を向上させることが出来る。
【０００８】
本発明の弾球遊技機の前記第２の規制手段は、前記第１の規制手段にて規制された回動範囲内で開成された前記球受部材に接触しないように設けられていることが好ましい。
このようにすれば、第１の規制手段による球受部材の回動範囲の規制機能が有効である状態において、球受部材が開成するたびに第２の規制手段と球受部材とが当接を繰り返して両者が物理的に劣化することがないので、可変入賞装置の機能を維持した状態で長期にわたって使用することが出来る。
【０００９】
本発明の弾球遊技機の前記第２の規制手段は、前記第１の規制手段にて規制された回動範囲内で開成された前記球受部材に遊技球の負荷が加わった状態においても、前記球受部材に接触しないように設けられていることが好ましい。
このようにすれば、第１の規制手段による球受部材の回動範囲の規制機能が有効である状態において、球受部材の開成時に遊技球の負荷が加わることで第２の規制手段と球受部材とが当接を繰り返して両者が物理的に劣化することがないので、可変入賞装置の機能を維持した状態で長期にわたって使用することが出来る。
【００１０】
本発明の弾球遊技機の前記第２の規制手段は、前記遊技領域が前面に形成される遊技盤に植設される遊技釘から構成されていることが好ましい。
このようにすれば、当接規制位置の調節のために、遊技釘の配置位置を調節するための複雑な機構等を設けたりすることなく、遊技釘自体の形状を変化させることで当接規制位置を容易に調節することが出来るため、製造コストの低減化を図ることが出来るばかりか、当接規制位置の調節作業を容易に行うことが出来る。また、遊技盤に植設される他の遊技釘と同様の部材を利用するので、製造コストの低減化を図ることが出来るばかりか、外観体裁上違和感なく設けることが出来る。
【００１１】
本発明の弾球遊技機の前記球受部材は、一端側に設けられた回動軸を中心に回動自在に設けられており、前記第２の規制手段は、開成された前記球受部材の長手方向略中央部下方を当接規制する位置に設けられていることが好ましい。
このようにすれば、第２の規制手段が球受部材の遊端側に設けられて遊技球の流下に影響が及んだり、第２の規制手段が球受部材の回動軸側に設けられて当接規制時における負荷が大となって十分な当接規制機能が得られなくなること等が効果的に回避される。
【００１２】
本発明の弾球遊技機は、遊技領域に設けられた始動領域を遊技球が通過したことに基づいて所定の始動態様にて前記可変入賞装置を第１の状態に制御し、前記可変入賞装置に入賞した遊技球が複数の領域のうちの特定の領域に進入したことに基づいて前記始動態様より遊技者に有利な特定態様で前記可変入賞装置が第１の状態に制御される特定遊技状態に制御することが好ましい。
このようにすれば、遊技者に付与される遊技価値が大きな可変入賞装置における球受部材の開成範囲が確実に規制されるため、特定遊技状態の発生で遊技者に付与される遊技価値に大きな差異が生じて、遊技者の有利度が大きく変わることが効果的に防止出来る。
また、前記特定遊技状態は、前記始動態様より遊技者に有利な特定態様で前記可変入賞装置が第１の状態に制御されるラウンドを所定の上限回数実行可能であるとともに、前記ラウンド中において前記可変入賞装置に入賞した遊技球が、前記特定の領域に進入したことに基づいて当該ラウンドの終了のあとに次回のラウンドに移行可能となることが好ましい。
【００１３】
本発明の弾球遊技機の前記第２の規制手段は、前記球受部材が閉成された状態において、前記可変入賞装置との間に少なくとも１個の遊技球が通過可能な間隙が形成されるように設けられていることが好ましい。
このようにすれば、第２の規制手段と可変入賞装置との間で球詰まりが発生することがない。
【００１４】
【発明の実施の形態】
以下、図面に基づいて本発明が適用されたパチンコ機の実施例について説明する。まず、本実施例の第２種パチンコ機（以下パチンコ機と称す）の全体の構成について説明する。パチンコ機は、遊技領域が前面に形成された遊技盤３０と、遊技盤３０が着脱自在に取付けられる機構板とから構成されており、機構板は遊技機の外枠に取り付けられている。また、遊技機の前面には、額縁状に形成された前面枠が設けられ、前面枠の額縁状の上部開口には、ガラス板を有するガラス扉枠が、その下部に打球供給皿を有する前面扉板がそれぞれ開閉自在に設けられている。また、前面枠下部の表面には、前記打球供給皿から溢れた余剰の景品球を貯留する余剰球受皿が設けられると共に、打球を発射する操作ハンドルも設けられている。
【００１５】
次に、本実施例のパチンコ機の遊技盤３０の遊技領域３２の構成について図１および図２を参照して説明する。図１は、遊技盤３０の遊技領域３２の正面図であり、図２は、遊技盤３０の背面図である。図１において、遊技領域３２のほぼ中央に第２可変入賞球装置６０が配置されている。この第２可変入賞球装置６０は、一対の球受部材６５ａ、６５ｂと、該球受部材６５ａ、６５ｂによって受け入れられた入賞球が流下する入賞空間７０と、該入賞空間７０の最下方中央に設けられる特定入賞領域８２を含む複数（３つ）の入賞領域８２、８３ａ、８３ｂ（８３ａ、８３ｂは、図３参照）とを含んでいる。なお、第２可変入賞球装置６０の詳細な構造は、後に詳述する。
【００１６】
また、第２可変入賞球装置６０の下方には、始動遊技状態を生起せしめる１つの第１可変入賞球装置３４と２つの始動口３８ａ、３８ｂとが配置されている。第１可変入賞球装置３４は、ソレノイド３６（図７参照）によって開閉駆動される一対の開閉翼片３５ａ、３５ｂを有し、後述するように、通過ゲート４０に打球が通過して通過ゲートスイッチ４１がＯＮすると、普通図柄表示器５００が可変表示を開始した後、この可変表示の結果が所定の態様であった場合には、遊技者にとって有利な状態（開放状態）に制御される。また、始動口３８ａ、３８ｂは、受口形式の入賞口である。そして、第１可変入賞球装置３４および始動入賞口３８ａ、３８ｂには、始動球検出スイッチ３７、３９ａ、３９ｂが内蔵されている。そして、左右の始動口３８ａ、３８ｂに打球が入賞して始動球検出スイッチ３９ａ、３９ｂをＯＮさせると、第２可変入賞球装置６０の球受部材６５ａ、６５ｂが比較的短い時間の開放を１回行なう。また、中央の第１可変入賞球装置３４に打球が入賞して始動球検出スイッチ３７をＯＮさせると、球受部材６５ａ、６５ｂが比較的短い時間の開放を２回行なう。
【００１７】
また、第１可変入賞球装置３４および始動口３８ａ、３８ｂに入賞した入賞球によって払い出される景品球数は、他の入賞口または入賞球装置に入賞した入賞球によって払い出される景品球数（本実施例では１５個）よりも少なく設定（本実施例では５個）されており、その入賞球の種類が始動球検出スイッチ３７、３９ａ、３９ｂによって後述する遊技状態を制御する基本回路９０に入力されるようになっている。
【００１８】
さらに、第１可変入賞球装置３４の前面側には、７セグメント表示器である普通図柄表示器５００が設けられており、通過ゲートスイッチ４１が遊技球を検出すると、普通図柄表示器５００の表示部において数字図柄０〜９が更新表示を開始する。そして、普通図柄表示器５００の更新表示が停止して表示結果が特定の表示態様（例えば、「７」）となれば、後述するソレノイド３６が駆動することにより、第１可変入賞球装置３４が遊技者にとって不利な第２の状態（開閉翼片３５ａ、３５ｂが閉成状態）から第１の状態（開閉翼片３５ａ、３５ｂが開放状態）へ変化して所定期間だけ第１の状態となるのである。
【００１９】
また、第１可変入賞球装置３４の前面側には、通過ゲートスイッチ４１が検出した遊技球の数を最大４つまで記憶可能な保留記憶表示器６００が設けられ、遊技者には、普通図柄表示器５００があと何回表示状態を変化させて表示結果を導出するかが一目で分かるようになっている。
【００２０】
上記した普通図柄表示器５００を始動させるための条件としての通過ゲート４０は、第２可変入賞球装置６０の一側（左側）側方に配置され、内部に通過ゲートスイッチ４１を内蔵している。また、通過ゲート４０の対称位置にも通過口４２が配置されるが、この通過口４２には、スイッチが設けられておらず、単に打球を通過させるだけである。更に、遊技領域３２には、入賞口４３ａ、４３ｂ、入賞口４５ａ、４５ｂが設けられている。入賞口４３ａ、４３ｂは、第２可変入賞球装置６０の下方部左右側方に配置され、その下部に肩下ランプ４４ａ、４４ｂが内蔵されている。入賞口４５ａ、４５ｂは、前記入賞口４３ａ、４３ｂの下方に配置され、その下部にランプ付き風車が付設され、そのランプは、袖ランプ４６ａ、４６ｂと言われる。また、遊技領域３２の左右両端部には、サイドランプ４７ａ、４７ｂが配置され、遊技領域３２の最下方には、入賞しなかった打球を回収するアウト口４９が設けられ、遊技領域３２の入口部分には、打球の逆流を防止する逆流防止部材４８が設けられている。上記した肩下ランプ４４ａ、４４ｂ、袖ランプ４６ａ、４６ｂ、サイドランプ４７ａ、４７ｂは、前記始動遊技状態（始動入賞）時や前記大当り遊技状態時（特定遊技状態時）に所定の態様で表示駆動される。
【００２１】
ここで、上記した第１可変入賞球装置３４および始動口３８ａ、３８ｂに打球が入賞した始動遊技状態（始動入賞）において、第２可変入賞球装置６０の１回または２回の開閉動作中に受け入れられた入賞球が特定入賞領域８２に誘導されたときの第２可変入賞球装置６０の動作について説明する。まず、始動遊技状態において受け入れられた入賞球が特定入賞領域８２に入賞すると、特定遊技状態（以下、大当り遊技状態という）になる。
【００２２】
大当り遊技状態になると、球受部材６５ａ、６５ｂが所定時間（本実施例では２８秒）内に所定回数（本実施例では１８回）の開閉動作を行なうか、又はその所定回数の開閉動作中に所定個数（本実施例では１０個）の入賞球が発生するまでの開閉動作を行なうようになっている（以下ラウンドという）。このようなラウンドが実行されているときに受け入れられた入賞球が特定入賞領域（以下Ｖ領域という）８２に誘導されたときには、直ちにその回のラウンドを停止して次のラウンドに移行すべく継続される。
【００２３】
そして、その継続回数は、ラウンド中に入賞球がＶ領域８２に入賞することを条件として、所定回数（本実施例では最大１５回）行なわれるようになっている。すなわち、所定回数のラウンドが終了した場合には、次に第２可変入賞球装置６０内に受け入れられた入賞球がＶ領域８２にＶ入賞してもその入賞球を無効として取扱い、その後においてはラウンドの継続を不能とするようになっている。
【００２４】
上述のように、大当り遊技状態となると、短時間に多量の入賞球を発生させることができるので、この種の弾球遊技機においては、大当り遊技状態となる前提である始動遊技状態に遊技者の注意が集中する。
【００２５】
一方、遊技盤３０の裏面には、図２に示すように、前記した各種の入賞口や入賞球装置に入賞した入賞球を所定の経路に沿って誘導する誘導経路が形成された入賞球誘導カバー５０が固着されている。また、前記アウト口４９の裏面側には、アウト球を下方に誘導する通路溝４９ａが刻設されるが、この通路溝４９ａの上端部にアウト球誘導部材５１が固着される場合と、固着されない場合とがある。これらの選択は、パチンコ機の裏面に開閉自在に設けられる機構板の種類に応じて選択されるものである。
【００２６】
次に、図３〜図６を参照して、本実施例の第２可変入賞球装置６０の構成について説明する。第２可変入賞球装置６０は、前記遊技盤３０の表面に取付けられる取付基板６１を有し、その取付基板６１のほぼ中央に入賞球が落下する入賞空間７０が後方に凹状に形成されている。そして、この入賞空間７０には、後述する球受部材６５ａ、６５ｂが開放したときだけに、遊技領域３２を落下する打球が受け入れられて入賞球となる。
【００２７】
また、取付基板６１の前面上部には、前記入賞空間７０の上縁および左右縁に沿って打球の侵入を阻止する障害枠６３が突設され、該障害枠６３の上辺の後方には、入賞口６２が形成され、打球を入賞球として取り込むようになっている。また、障害枠６３の下方空間後面には、各種の情報を表示する表示装置６４が設けられている。この表示装置６４は、ドットマトリックスＬＥＤによって構成されており、電源投入時に「力士」という文字が右から左に所定の速度でスクロール表示され、始動入賞時には、「ノコッタ」という文字が所定の速さで点滅する。また、特定遊技状態となった場合において、球受部材６５ａ、６５ｂが開放する前には、「ゴッツァンデス」という文字が所定の速度でスクロール表示され、最後の開閉サイクルの継続中及び終了後には、「千秋楽」という文字が所定の速度でスクロール表示され、開閉サイクルの継続回数が「初日」「２日」・・・と所定の周期で点滅され、異常発生時に異常に応じた「Ｅ１」「Ｅ２」という文字が点灯され、開閉サイクル中の入賞個数が「１コ」・・・という文字によって点灯表示される。
【００２８】
前記障害枠６３の下部両側には、一対の球受部材６５ａ、６５ｂが、リンク機構１５１（図１１参照）を介してソレノイド６６に連係された回動軸１５０ａ、１５０ｂを中心として予め定められた回動範囲内で開閉自在に設けられ、ソレノイド６６によって開閉駆動されるようになっており、開成状態において遊技領域３２を流下する打球を第２可変入賞球装置６０内に受け入れるようになっている。また、球受部材６５ａ、６５ｂの回動軸１５０ａ、１５０ｂの外側には、球受部材６５ａ、６５ｂの回動範囲を規制する第２の規制手段としての規制釘１２０ａ、１２０ｂがそれぞれ設けられている。なお、この規制釘１２０ａ、１２０ｂに関する詳細は後述することとする。
【００２９】
また、球受部材６５ａ、６５ｂによって受け止められた打球は、上部球転動板６７によって後方に導かれ左右に形成された球入口６８ａ、６８ｂ（図６に６８ａのみを表示）に入り、入賞空間７０の上部左右に形成された球出口６９ａ、６９ｂ（図６に６９ａのみを表示）から入賞空間７０に放出される。なお、球入口６８ａ、６８ｂと球出口６９ａ、６９ｂとの間の通路には、開閉サイクル中における入賞球数を検出する１０カウントスイッチ７１ａ、７１ｂが設けられている。
【００３０】
また、前記球出口６９ａ、６９ｂの下方には、水平方向と下り傾斜方向とに可変する可動片７２ａ、７２ｂが設けられ、この可動片７２ａ、７２ｂがソレノイド７３によって水平方向に駆動されたときに、球出口６９ａ、６９ｂから放出された打球が入賞空間７０の中央に設けられるキャラクター部材７４の盃７５に導かれ、下り傾斜状態となっているときには、入賞空間７０をそのまま下方に落下する。入賞空間７０の中央に設けられるキャラクター部材７４は、相撲取りの意匠が付与されており、優勝した相撲取りが盃７５を持って美酒を飲む動作を行なうようになっている。
【００３１】
上記した盃７５は、モータ７７の駆動により持ち上げられて盃７５に貯留された打球を球流出口から流出させるが、モータ７７が駆動されることにより、キャラクター部材７４に形成される口７６が開放して、盃７５から流出する打球を受け入れるようになっている。受け入れられた打球は、そのまま下方に導かれてキャラクター部材７４の足の間から下部球転動板８０の中央に放出される。
【００３２】
ただし、その放出部の直前に球を一時的に停止させる一時停止板７８が設けられ、口７６から入った先頭の球を一時停止板７８で貯留し、後続の球は、一時停止板７８によって貯留される先頭の球に衝突して左右に振り分けられるため、下部球転動板８０の中央に放出される球は、１個となる。なお、一時停止板７８は、ソレノイド７９によって駆動され、ソレノイド７９がＯＮしたときに貯留されていた１個の球を放出するものであり、また、盃７５及び口７６を駆動するモータ７７の動作を制御するために２つのフォトセンサが設けられている。
【００３３】
上記した下部球転動板８０は、入賞空間７０の底面を構成するもので、入賞空間７０の後方から前方に向けて下り傾斜状に形成され、その前端縁に特定入賞領域８２と通常入賞領域８３ａ、８３ｂとが形成されている。特定入賞領域８２は、中央に１つ形成され、通常入賞領域８３ａ、８３ｂは、左右に２つ形成されている。また、特定入賞領域８２には、特定球検出スイッチ８４が設けられ、この特定球検出スイッチ８４がＯＮすることにより、特定遊技状態となったり、あるいはラウンドが継続するように制御されるものである。
【００３４】
ところで、下部球転動板８０には、前記特定入賞領域８２の横幅に相当する間隔で中央通路形成片８１が突設されているため、前記一時停止板７８によって開放された１個の打球であってキャラクター部材７４の足の中央から放出されて下部球転動板８０の中央を転動する打球は、中央通路形成片８１によってほぼ確実に特定入賞領域８２に誘導される。逆に、下部球転動板８０の左右通路を流下する打球は、中央通路形成片８１によって特定入賞領域８２への誘導を阻止され、多くの確率で通常入賞領域８３ａ、８３ｂに導かれるということである。
【００３５】
つまり、上記した第２可変入賞球装置６０においては、球受部材６５ａ、６５ｂに受け止められて内部に誘導された打球のうち、可動片７２ａ、７２ｂによって盃７５に誘導された打球は、ほぼ確実に特定入賞領域８２に導かれることになるため、本実施例において、可動片７２ａ、７２ｂは、所定条件が成立したときに、始動入賞時における特定入賞領域８２への打球の誘導率を向上させるための手段の一部を構成するものである。これについては、後に詳述する。なお、第２可変入賞球装置６０には、上記した構成以外に役物ランプや飾りＬＥＤ等が設けられており、所定の動作時に点灯または点滅して装飾効果を盛り上げるようになっている。
【００３６】
以上、第２可変入賞球装置６０を含むパチンコ機の遊技盤３０の構成について説明してきたが、それらの遊技装置は、図７に示す遊技制御回路によって制御される。
【００３７】
図７は、遊技制御回路をブロック構成で示す回路図であり、ＣＰＵ、ＲＯＭ、ＲＡＭ、入出力回路を含む基本回路９０によって制御される。この基本回路９０が搭載された遊技制御基板により遊技制御手段が構成されている。そして、基本回路９０は、スイッチ回路９１を介して、始動球検出スイッチ３７、始動球検出スイッチ３９ａ、３９ｂ、通過ゲート検出スイッチ（通過ゲートスイッチ）４１、１０カウントスイッチ７１ａ、７１ｂ、特定球検出スイッチ（Ｖカウントスイッチ）８４、および、フォトセンサ（符号なし）の検出信号が入力され、アドレスデコード回路９２から基本回路９０にチップセレクト信号が与えられる。また、電源投入時に初期リセット回路９３から基本回路９０にリセット信号が与えられる。
【００３８】
一方、基本回路９０からは、以下の装置、回路および基本回路９０が搭載された遊技制御基板以外の他の制御基板に制御信号（以下コマンドという）が出力される。そして、基本回路９０からコマンドを受けた各種の制御基板では、そのコマンドに従った制御を行なうことになる。また、基本回路９０からのコマンドそれぞれを受けて、モータ回路９５は、モータ７７に駆動信号を与えてモータ７７を駆動し、音回制御基板９６は、スピーカ１７７に音声信号を与えて音声を発生させることになる。
【００３９】
また、基本回路９０から出力されたコマンドを受けたランプ制御基板９７は、コマンドに応じて表示器（表示装置）６４を制御するとともに、第２可変入賞球装置６０に設けられる飾りＬＥＤ（符号なし）も制御する。更に、基本回路９０から出力されたコマンドを受けたランプ制御基板９７は、レール飾りランプ３３、肩下ランプ４４ａ、４４ｂ、袖ランプ４６ａ、４６ｂ、サイドランプ４７ａ、４７ｂ、普通図柄表示器５００、保留記憶表示器６００および第２可変入賞球装置６０に設けられる役物ランプ（符号なし）をそれぞれの状態に応じて駆動制御を行なうのである。また、基本回路９０のコマンドに従って、ソレノイド回路９９を介してソレノイド３６、６６、７３、７９に駆動信号が与えられている。
【００４０】
また、基本回路９０からは賞球信号出力回路から賞球数情報を出力し、情報出力回路１０２に大当り情報や有効始動情報等を出力している。なお、上記した装置、回路および基本回路が搭載された遊技制御基板以外の基板には、電源基板（図示せず）から各種の電圧を有する電力が供給されている。
【００４１】
次に、前述した大当たり遊技状態（特定遊技状態）に関して簡単に説明する。
【００４２】
開閉サイクルの継続回数は、最高１５回（１５ラウンド：本例では、始動検出にもとづく大入賞口の開放動作はラウンド遊技に含まれないため、始動動作にもとづく遊技が実行されてもラウンド数にはカウントされない。）まで許容されるようになっている。また、このような特定遊技状態において、表示器６４は、球受部材６５ａ、６５ｂの継続回数（ラウンド回数）をラウンドが移行する毎に表示するとともに、各ラウンド中においては入賞個数を表示する。大当たり遊技状態が発生したときには、表示器６４に識別情報が可変表示され、内部抽選結果に応じた識別情報が停止表示される。そして、停止識別情報に応じた継続ラウンド数（平均継続ラウンド数、以下、継続ラウンド数という。）を報知する。
【００４３】
ここで、実質的な継続ラウンド数の決定、および決定した継続ラウンド数を報知するための表示器６４の表示について説明する。始動入賞に基づいて第２可変入賞球装置６０（球受部材６５ａ、６５ｂ）が開放する。その後、所定時間の特定玉有効期間中にＶカウントスイッチ８４がオン（Ｖ入賞の検出）となり、Ｖ入賞が発生すると、条件決定手段（遊技制御手段に含まれる）は、内部抽選を行う。例えば、所定の乱数を発生させ、乱数値に応じて実質的な継続ラウンド数が決定される。本実施例においては、後述する高確率ラウンドに制御される高確率ラウンド数が０ラウンド、６ラウンド、１４ラウンド、すなわち、実質的な継続ラウンド数が１ラウンド、７ラウンド、１５ラウンドのうちのいずれか（この例では、第２可変入賞球装置６０が連続して作動する回数のうちの初回の作動（特定遊技状態を発生させるときの作動）は１ラウンド目としてカウントされない。）に決定される場合を考える。
【００４４】
また、基本回路９０は、ランプ制御基板９７に対して表示制御コマンドを出力することによって、表示器６４に所定期間、識別情報としての数字（１、７、１５）を可変表示させ、所定期間経過後に、内部抽選の結果に応じた数字を停止表示させる。例えば、高確率ラウンド数が０ラウンド（継続ラウンド数が１ラウンド）に決定されている場合には実質的な継続ラウンド数である「１」を停止表示させ、高確率ラウンド数が６ラウンド（継続ラウンド数が７ラウンド）に決定されている場合には実質的な継続ラウンド数である「７」を停止表示させ、高確率ラウンド数が１４ラウンド（継続ラウンド数が１５ラウンド）決定されている場合には実質的な継続ラウンド数である「１５」を停止表示させる。遊技者は、表示器６４の表示結果を視認することで、継続ラウンド数が１ラウンド、７ラウンド、１５ラウンドのいずれかであるのかを知ることができる。
【００４５】
本例では、条件決定手段により決定された高確率ラウンド（継続ラウンド数の１つ前までのラウンド）においては、第２可変入賞球装置６０の内部構造がＶ領域８２に遊技球が入賞しやすく、Ｖカウントスイッチ８４で検出されやすい高確率状態（特定領域に入賞しやすい状態）となるように制御され、条件決定手段により決定された高確率ラウンド（継続ラウンド数の１つ前までのラウンド）以降のラウンドにおいては、第２可変入賞球装置６０の内部構造がＶ領域８２に遊技球が入賞しがたく、Ｖカウントスイッチ８４で検出されがたい低確率状態（特定領域に入賞しがたい状態）となるように制御される。なお、条件決定手段により決定された高確率ラウンド数が０（継続ラウンド数が１ラウンド）である場合には、特定遊技状態が終了するまでの全てのラウンドにおいて基本的に低確率状態となるように制御される。
【００４６】
例えば、図８に示すように、高確率ラウンド数が６ラウンドに決定された場合（継続ラウンド数が７ラウンドに決定された場合）には、６ラウンドまでは継続権の発生しやすい高確率状態とされ、７ラウンド以降は継続権の発生しがたい低確率状態とされる。なお、図８において、「低」は、そのラウンドがラウンド終了までに継続権が発生しにくい低確率ラウンドであることを示し、「高」は、そのラウンドがラウンド終了までに継続権が発生やすい高確率ラウンドであることを示す。
【００４７】
低確率状態では、上述したように、遊技制御手段が、可動片７２ａ、７２ｂを下り傾斜状態にしたままにして盃７５に導かれにくくし、Ｖ領域８２に遊技球が入賞しがたい状態とされるが、Ｖ領域に遊技球が入賞して継続権が発生する場合もある。また、高確率状態では、高確率ラウンドが発生してから球受部材６５ａ、６５ｂが所定回数（本実施例では８回）連続開閉動作を行うまでの期間では、遊技制御手段が可動片７２ａ、７２ｂを水平状態にて所定時間（例えば２秒）停止した後、一旦下り傾斜状態にし、再度水平状態に戻して前記所定時間である２秒間停止するという一連の動作態様を繰り返すように制御し、遊技球が盃７５に導かれて一時停止板７８に入賞球が停留されやすい状態とする。すなわち、この期間において実行される可動片７２ａ、７２ｂの動作態様は、Ｖ領域８２へ遊技球を進入させる確率を高くする高確率態様となっている。
【００４８】
以後、球受部材６５ａ、６５ｂの連続開閉動作が１８回に達するか、あるいは１０個の入賞球が発生するまでの期間では、可動片７２ａ、７２ｂを下り傾斜状態にて停止させ、球受部材６５ａ、６５ｂの連続開閉動作が１８回に達するか、あるいは１０個の入賞球が発生した時点で一時停止板７８を駆動して貯留球を解除してＶ領域８２に導く動作を実行する。これら一連の動作によりほぼ確実に継続権が発生して次回のラウンドに移行することになるが、まれに上記期間において盃７５に遊技球が１つも導かれずに、Ｖ領域８２に遊技球が入賞することなく継続権が発生しない場合もある。このように、本実施例では、決定された継続ラウンドに達しないラウンド数で大当り状態が終了する場合も、決定された継続ラウンド数を超えて大当り状態が継続する場合もある。
【００４９】
また、本実施例においては、連続作動回数の上限回数である最終の１５ラウンド目は全ての継続ラウンド数パターンにおいて低確率ラウンドとされているが、いずれにしてもＶ領域８２に遊技球が入賞（進入）しても次回のラウンドに移行することはないため、１５ラウンド目を高確率ラウンドとして設定するようにしてもよい。
【００５０】
次に、図９〜図１３に基づいて、球受部材６５ａ、６５ｂ並びに前述した規制釘１２０ａ、１２０ｂの構造及び作用を説明する。
【００５１】
まず、図９には第２可変入賞球装置６０の上部拡大図が示されており、詳しくは、図９（ａ）には左右一対の球受部材６５ａ、６５ｂが閉成された状態（第２の制御状態）が示されており、図９（ｂ）には左右一対の球受部材６５ａ、６５ｂが開成された状態（第１の制御状態）が示されている。なお、以下の図９、図１０、図１２、図１３においては、球受部材６５ａ、６５ｂの前端に設けられる飾り片Ｋ（図３、図１１参照）の図示は省略する。
【００５２】
球受部材６５ａ、６５ｂは、特に図１１に示されるように、第２可変入賞球装置６０を構成する取付基板６１の所定箇所に形成された孔部（図示略）に回動自在に枢支された前後方向を向く回動軸１５０ａ、１５０ｂの前端に、その基部が固着されている。回動軸１５０ａ、１５０ｂの後端は、取付基板６１から後方に延設されており、従来公知の所定のリンク機構１５１（詳細な機構説明は省略する）を介して、第２可変入賞球装置６０の後方に設けられるソレノイド６６（図４参照）に連係されている。具体的には、ソレノイド６６をＯＮ／ＯＦＦさせることにより、その本体に伸縮自在に嵌挿された伸縮棒６６ａが上下動するようになっており、この伸縮棒６６ａの上下動が、前記リンク機構１５１を介して回動軸１５０ａ、１５０ｂの軸心周りの回動に変換伝達されるようになっている。
【００５３】
そして球受部材６５ａ、６５ｂは、入賞空間７０内にパチンコ球を入賞させないように大入賞口を閉塞する閉成状態（図９（ａ）参照）と、入賞空間７０内にパチンコ球が入賞しやすくなるように大入賞口を開放する開成状態（図９（ｂ）参照）と、の間で開閉するように回動自在に設けられており、この回動範囲（図１０参照）は、ソレノイド６６の伸縮棒６６ａの伸縮ストロークにて決められている。すなわち、本実施例の第２可変入賞球装置６０にあっては、ソレノイド６６、及び該の伸縮棒６６ａの上下動を回動軸１５０ａ、１５０ｂに変換伝達するリンク機構１５１、回動軸１５０ａ、１５０ｂにて、球受部材６５ａ、６５ｂの回動範囲を規制する第１の規制手段が構成されている。
【００５４】
なお、本実施例においては、これらソレノイド６６、リンク機構１５１、回動軸１５０ａ、１５０ｂにて球受部材６５ａ、６５ｂの回動範囲を規制する第１の規制手段が構成されていたが、本発明はこれに限定されるものではなく、これら以外の他の第１の規制手段により回動範囲が規制されるようにしてもよく、この場合、例えば取付基板６１に円弧状の長溝等を設けるとともに、この長溝内に摺動自在に嵌装される凸部等を球受部材６５ａ、６５ｂに設け、この円弧状の長溝の長さによって球受部材６５ａ、６５ｂの回動範囲が規制されるようにしてもよい。
【００５５】
球受部材６５ａ、６５ｂの通常の回動範囲は、特に図１０（ａ）に示されるように、図中２点鎖線で示される閉成位置Ｐ１から、実線で示される開成位置Ｐ２までの間で、開成位置Ｐ１を基準とした閉成位置Ｐ２の開成角度θが約９０度弱となるように設定されている。
【００５６】
こらら球受部材６５ａ、６５ｂにおける回動軸１５０ａ、１５０ｂの外方所定箇所には、前述した第１の規制手段による回動範囲の規制機能、詳しくは、球受部材６５ａ、６５ｂを開成位置Ｐ２にて規制する規制機能が、例えば長期の使用により、ソレノイド６６、リンク機構１５１等の何らかの部材が摩擦により劣化したりすること等、何らかの要因で無効となり、球受部材６５ａ、６５ｂを正規の開成位置Ｐ２にて停止させることが出来ず、開成位置Ｐ２以上に拡開してしまった場合等において、第１の規制手段に替わって、球受部材６５ａ、６５ｂが正規の開成位置Ｐ２にて停止するように回動範囲を規制するための第２の規制手段としての規制釘１２０ａ、１２０ｂが設けられている。
【００５７】
本実施例における規制釘１２０ａ、１２０ｂは、遊技領域３２内に打ち込まれた打球を適宜方向に導くために遊技領域３２等に設けられる、いわゆる遊技釘（図１参照）と同様の真鍮製の釘が用いられている。
【００５８】
規制釘１２０ａ、１２０ｂは、図１１に示されるように、取付基板６１の前方から、その後部を取付基板６１における回動軸１５０ａ、１５０ｂよりも外方寄りの所定箇所に形成された孔部１２１ａ、１２１ｂ（孔部１２０ａは図示略）内に圧入することにより植設されており、その先端の頭部Ｔが球受部材６５ａ、６５ｂの前端に設けられる飾り片Ｋよりも前方に突出しないように設けられている。
【００５９】
さらに詳しくは、規制釘１２０ａ、１２０ｂは、図１０（ａ）に示されるように、球受部材６５ａ、６５ｂが正規の開成位置Ｐ２に位置している状態において、球受部材６５ａ、６５ｂの下面に当接しないように、さらに図１０（ｂ）に示されるように、球受部材６５ａ、６５ｂの上面に、例えば球受部材６５ａ、６５ｂの上面に一度に載置されうる数分（例えば４個）のパチンコ球が落下して下方向に負荷が加わり、その重みで正規の開成位置Ｐ２からさらに若干拡開した開成位置Ｐ３に位置した場合においても球受部材６５ａ、６５ｂの下面に当接しないように設けられている。
【００６０】
すなわち、正規な開成位置Ｐ２及び開成位置Ｐ３に位置する球受部材６５ａ、６５ｂから所定距離下方に離間した位置であるとともに、図１０（ａ）に示されるように、回動軸１５０ａ、１５０ｂの軸心と球受部材６５ａ、６５ｂの先端との間の略中間位置の下方に設けられている。
【００６１】
また、規制釘１２０ａ、１２０ｂは、図９（ａ）に示されるように、閉成位置Ｐ１に位置している球受部材６５ａ、６５ｂの外面における最も近傍位置からの距離Ｌ１が、１個のパチンコ球の直径（１１．５ｍｍ）よりも大きくなる位置に設けられており、球受部材６５ａ、６５ｂの外面と規制釘１２０ａ、１２０ｂとの間での球詰まりが発生しないようになっている。
【００６２】
このように、本実施例における球受部材６５ａ、６５ｂは、基部に設けられた回動軸１５０ａ、１５０ｂを中心に、閉成位置Ｐ１と開成位置Ｐ２との間で回動するように設けられているとともに、ソレノイド６６、リンク機構１５１、回動軸１５０ａ、１５０ｂにて構成される第１の規制手段により、閉成位置Ｐ１よりも内側に回動しないように、また、開成位置Ｐ２よりも拡開しないように回動範囲が規制されている。よって、この第１の規制手段による規制機能が有効に働いているときにおいては、閉成位置Ｐ１に位置している状態からソレノイド６６が駆動して回動された球受部材６５ａ、６５ｂは、開成位置Ｐ２にて回動規制されて停止されることになる。
【００６３】
この開成位置Ｐ２に位置した状態においては、図１０（ａ）に示されるように球受部材６５ａ、６５ｂは、その下方の規制釘１２０ａ、１２０ｂに当接することはないため、球受部材６５ａ、６５ｂの開閉が繰り返し行われても、規制釘１２０ａ、１２０ｂとの接触により球受部材６５ａ、６５ｂの外面が損傷したり、磨り減ること等がない。
【００６４】
また、この開成位置Ｐ２に位置した状態において、図１０（ｂ）に示されるように球受部材６５ａ、６５ｂ上面にパチンコ球が落下し、下方向に向く負荷が加わることにより開成位置Ｐ２からさらに若干拡開された開成位置Ｐ３まで押し下げられることがあっても、その下方の規制釘１２０ａ、１２０ｂに当接することはないため、球受部材６５ａ、６５ｂの開閉が繰り返し行われても、規制釘１２０ａ、１２０ｂとの接触により球受部材６５ａ、６５ｂの外面が損傷したり、磨り減ること等がない。
【００６５】
回動軸１５０ａ、１５０ｂを中心とした球受部材６５ａ、６５ｂの開閉が繰り返されるとともに、球受部材６５ａ、６５ｂが開成位置Ｐ２まで回動した時点では、球受部材６５ａ、６５ｂの慣性モーメントが加わることになるばかりか、さらには、開成位置Ｐ２においてパチンコ球の負荷が加わることがあり、これらの要因等により、例えばソレノイド６６や、リンク機構１５１等の何らかの部品が磨り減って摩耗したり、損傷するなどして、前記第１の規制手段による回動範囲の規制機能が失われ、図１２に示されるように、開成位置Ｐ２及び前述した開成位置Ｐ３よりもさらに拡開するようになってしまった場合、球受部材６５ａ、６５ｂの外面が規制釘１２０ａ、１２０ｂにて当接し、それ以上の拡開が規制されることになる。
【００６６】
よって、球受部材６５ａ、６５ｂが正規な開成位置Ｐ２を超えて大きく拡開し過ぎて、設定した状態よりも多くのパチンコ球が入賞しやすい状態となってしまったり、逆に開成状態時において球受部材６５ａ、６５ｂの先端が回動軸１５０ａ、１５０ｂよりも下方に位置するように傾斜してパチンコ球が入賞しにくくなるのを一時的に防止することが出来る。
【００６７】
そして、このように第１の規制手段による規制機能が無効となってしまった場合、規制釘１２０ａ、１２０ｂは、前述したように真鍮材にて構成されているため、図１３に示されるように、後端が取付基板６１に植設された規制釘１２０ａ、１２０ｂの前部を上方向に向けて押し上げてやるか、あるいは前部下方を金槌等で上向きに叩く等、上向きの衝撃を加えて、規制釘１２０ａ、１２０ｂの前部を上向きに変形させ、正規の開成位置Ｐ２にて、球受部材６５ａ、６５ｂの外面に規制釘１２０ａ、１２０ｂの頭部Ｔが当接するようにする。
【００６８】
すなわち、規制釘１２０ａ、１２０ｂの前部を上向きに変形するだけで、球受部材６５ａ、６５ｂの外面と規制釘１２０ａ、１２０ｂとの当接規制位置を容易に調節することが出来、これにより球受部材６５ａ、６５ｂが正規の開成位置Ｐ２にて回動規制されるようにすることが出来る。
【００６９】
本実施例においては、第２の規制手段である規制釘１２０ａ、１２０ｂが、第１の規制手段による回動規制機能が有効である場合において、球受部材６５ａ、６５ｂと接触しないように設けられているため、これにより球受部材６５ａ、６５ｂにおける規制釘１２０ａ、１２０ｂとの接触による劣化や損傷を極力回避することが出来、第１の規制手段による回動規制機能が無効となった場合において、第２の規制手段としての規制釘１２０ａ、１２０ｂが有効に機能することになる。
【００７０】
また、第２の規制手段が、自己形状を変形自在なピン部材の一例である真鍮の釘にて構成されているため、例えば規制釘１２０ａ、１２０ｂにおける球受部材６５ａ、６５ｂとの当接規制位置を調節可能とするために、規制釘１２０ａ、１２０ｂの植設位置を自在に変えられるように取付基板６１に加工を施すなどして複雑な機構を構成する必要がなく、規制釘１２０ａ、１２０ｂに力を加えて変形させるだけで容易に球受部材６５ａ、６５ｂとの当接規制位置を調節することが出来る。
【００７１】
よって、製造コストの低減化を図ることが出来るばかりか、当接規制位置の調節作業も、他の遊技釘の調節と同様の方法で簡単に行うことが出来る。また、遊技領域３２に複数設けられる他の遊技釘と同様の部材を利用出来るため、別部材を用いるよりもコストの低減化を図ることが出来るばかりか、違和感なく設けることが出来る。
【００７２】
また、規制釘１２０ａ、１２０ｂは、球受部材６５ａ、６５ｂを回動自在に枢支する取付基板６１に予め形成された孔部１２１ａ、１２１ｂに植設されているため、球受部材６５ａ、６５ｂを回動自在に枢支する取付基板６１とは別個の部材に設けられる場合に比べて、球受部材６５ａ、６５ｂとの位置関係を変化させることなく、常に一定の位置関係を確保した状態で規制釘１２０ａ、１２０ｂを配置することが出来る。
【００７３】
また、規制釘１２０ａ、１２０ｂは、開成位置Ｐ２に位置する球受部材６５ａ、６５ｂにおける回動軸１５０ａ、１５０ｂと球受部材６５ａ、６５ｂの遊端との間の略中央部下方に設けられているため、球受部材６５ａ、６５ｂよりも外側に大きく張り出して、遊技領域３２のパチンコ球の流下に大きな影響を及ぼしたりすることなく、かつ、当接規制位置が球受部材６５ａ、６５ｂの回動軸１５０ａ、１５０ｂ寄り過ぎて、球受部材６５ａ、６５ｂを正規の開成位置Ｐ２にて支持しうる十分な強度を得られなくなることがないことが好ましいが、規制釘１２０ａ、１２０ｂの配置位置は、球受部材６５ａ、６５ｂにおける回動軸１５０ａ、１５０ｂと球受部材６５ａ、６５ｂの遊端との間の略中央部を下方から支持しうる位置に限定されるものではなく、種々に変更可能である。
【００７４】
以上、本発明の実施例を図面により説明してきたが、具体的な構成はこれら実施例に限られるものではなく、本発明の要旨を逸脱しない範囲における変更や追加があっても本発明に含まれるもので、例えば、上記実施例における第２の規制手段としての規制釘１２０ａ、１２０ｂは、第２可変入賞球装置６０を構成する取付基板６１に設けられているが、本発明はこれに限定されるものではなく、例えば図１４に示される規制釘１２４ｂのように、遊技領域３２を構成する遊技盤面上に設けられていてもよい。
【００７５】
また、上記実施例における第２の規制手段は、自己形状を変形自在な真鍮製のピン部材としての規制釘１２０ａ、１２０ｂにて構成されていたが、自己形状を変形自在であれば、その材質は真鍮に限定されるものではなく、他の金属材等にて構成されていてもよい。
【００７６】
また、規制釘１２０ａ、１２０ｂは、自己形状を変形させることにより球受部材６５ａ、６５ｂとの当接規制位置を調節自在に構成されていたが、本発明はこれに限定されるものではなく、球受部材６５ａ、６５ｂとの当接規制位置を調節自在に構成されているものであれば、例えば図１５に示されるような規制手段であってもよい。
【００７７】
図１５に示される第２の規制手段を簡単に説明すると、所定の強度を有する樹脂製のピン部材１２２と、該ピン部材１２２の外周に環装自在な当接部材１２３等にて構成されている。ピン部材１２２は、上記実施例における規制釘１２０ａ、１２０ｂと同様に、球受部材６５ａ、６５ｂの回動軸１５０ａ、１５０ｂの外方で、かつ、正規の開成位置Ｐ２に位置する球受部材６５ａ、６５ｂの外面から所定距離下方に離間した位置に設けられている。当接部材１２３は、中心に孔部を有する円柱状の硬質ゴム材にて構成されており、図１５（ｂ）に示されるように、ピン部材１２２の先端から環装出来るようになっている。
【００７８】
これらピン部材１２２及び当接部材１２３から構成される第２の規制手段にあっては、上記実施例と同様に構成された第１の規制手段による規制機能が有効である場合、ピン部材１２２に当接部材１２３を環装せずに使用し、第１の規制手段による規制機能が無効となった場合に当接部材１２３を環装し、当接部材１２３の外周面にて球受部材６５ａ、６５ｂを当接規制させて、正規な開成位置Ｐ２にて停止させるようにすることが出来る。
【００７９】
すなわち、当接部材１２３を必要に応じてピン部材１２２に環装することで、球受部材６５ａ、６５ｂを正規な開成位置にて規制するための当接規制位置を調節することが出来るようになっている。また、この場合、当接部材１２３がピン部材１２２に対して着脱自在であるため、第１の規制手段による規制機能が劣化した後、第２の規制手段にて球受部材６５ａ、６５ｂを開成位置Ｐ２にて規制させる場合において、当接部材１２３が球受部材６５ａ、６５ｂとの当接を繰り返すことで摩耗したとしても、新規な当接部材１２３に簡単に交換することが出来、これにより長期にわたって球受部材６５ａ、６５ｂを正規な開成位置Ｐ２に規制させることが出来る。
【００８０】
また、以上説明してきた第２の規制手段としての規制釘１２０ａ、１２０ｂや、ピン部材１２２及び当接部材１２３にあっては、前述した遊技者にとって有利となる特定遊技状態の発生の契機となる機能（特定入賞領域８２）を備える第２可変入賞球装置６０に回動自在に設けられた球受部材６５ａ、６５ｂを正規な開成位置にて規制する規制手段として設けられていたことにより、遊技者に付与される遊技価値が大きな第２可変入賞装置６０における球受部材６５ａ、６５ｂの開成範囲が確実に規制されるので、特定遊技状態の発生で遊技者に付与される遊技価値に大きな差異が生じて遊技者の有利度が大きく変わること等が効果的に防止出来ることが好ましいが、本発明はこれに限定されるものではなく、遊技領域に発射された遊技球が入賞しやすい第１の状態と、入賞しない、または入賞しがたい第２の状態とに変化可能な球受部材を有する可変入賞装置であれば、例えば図１６に示されるように、遊技領域３２内における第２の可変入賞球装置６０の下方に設けられた第１の可変入賞球装置３４等、遊技者にとって有利となる特定遊技状態の発生の契機となる機能（特定入賞領域８２）を備えていない可変入賞球装置に適用することも可能である。
【００８１】
図１６の変形例の場合、球受部材としての開閉翼片３５ａ、３５ｂを正規な開成位置にて規制するように設けられた金属製の規制釘１２５ａ、１２５ｂが第２の規制手段として機能するようになっている。
【００８２】
前記各実施例における各要素は、本発明に対して以下のように対応している。
【００８３】
本発明の請求項１は、遊技領域に発射された遊技球が入賞しやすい第１の状態（開成状態）と、入賞しない、または入賞しがたい第２の状態（閉成状態）とに変化可能な可変入賞装置（第１可変入賞球装置３４、第２可変入賞球装置６０）を備え、
前記可変入賞装置は、遊技球（パチンコ球）の入賞口（大入賞口）の近傍に回動自在に設けられた球受部材（６５ａ、６５ｂ／３５ａ、３５ｂ）を回動させることで、前記第１の状態と前記第２の状態とに変化するように構成されており、
前記球受部材の回動範囲を規制するための第１の規制手段（ソレノイド６６、リンク機構１５１、回動軸１５０ａ、１５０ｂ）と、
該第１の規制手段とは別個に設けられ、該第１の規制手段による規制機能が無効となったときに、前記球受部材に当接することで前記球受部材の開成範囲を規制するとともに、該球受部材との当接規制位置を調節可能に構成された第２の規制手段（規制釘１２０ａ、１２０ｂ／規制釘１２４ｂ／ピン部材１２２、当接部材１２３／規制釘１２５ａ、１２５ｂ）と、を備える。
【００８４】
本発明の請求項２は、前記第２の規制手段（規制釘１２０ａ、１２０ｂ／規制釘１２４ｂ／ピン部材１２２、当接部材１２３／規制釘１２５ａ、１２５ｂ）は、前記第１の規制手段（ソレノイド６６、リンク機構１５１、回動軸１５０ａ、１５０ｂ）にて規制された回動範囲内で開成された前記球受部材（６５ａ、６５ｂ／３５ａ、３５ｂ）に接触しないように設けられている。
【００８５】
本発明の請求項３は、前記第２の規制手段（規制釘１２０ａ、１２０ｂ／規制釘１２４ｂ／ピン部材１２２、当接部材１２３／規制釘１２５ａ、１２５ｂ）は、前記第１の規制手段（ソレノイド６６、リンク機構１５１、回動軸１５０ａ、１５０ｂ）にて規制された回動範囲内で開成された前記球受部材（６５ａ、６５ｂ／３５ａ、３５ｂ）に遊技球（パチンコ球）の負荷が加わった状態においても、前記球受部材に接触しないように設けられている。
【００８６】
本発明の請求項４は、前記第２の規制手段は、前記遊技領域が前面に形成される遊技盤に植設される遊技釘（規制釘１２０ａ、１２０ｂ／規制釘１２４ｂ／ピン部材１２２／規制釘１２５ａ、１２５ｂ）から構成されている。
【００８７】
本発明の請求項５は、前記球受部材（６５ａ、６５ｂ／３５ａ、３５ｂ）は、一端側に設けられた回動軸（１５０ａ、１５０ｂ）を中心に回動自在に設けられており、前記第２の規制手段（規制釘１２０ａ、１２０ｂ／ピン部材１２２、当接部材１２３／規制釘１２５ａ、１２５ｂ）は、開成された前記球受部材の長手方向略中央部下方を当接規制する位置に設けられている。
【００８８】
本発明の請求項６は、遊技領域（３２）に設けられた始動領域（始動入賞口３８ａ、３８ｂ／第１可変入賞球装置３４）を遊技球（パチンコ球）が通過したことに基づいて所定の始動態様にて前記可変入賞装置（第２可変入賞球装置６０）を第１の状態（開成状態）に制御し、前記可変入賞装置に入賞した遊技球が複数の領域のうちの特定の領域（特定入賞領域８２）に進入したことに基づいて前記始動態様より遊技者に有利な特定態様で前記可変入賞装置が第１の状態に制御される特定遊技状態（大当り状態）に制御する。
【００８９】
本発明の請求項７は、前記第２の規制手段（規制釘１２０ａ、１２０ｂ／規制釘１２４ｂ／ピン部材１２２、当接部材１２３／規制釘１２５ａ、１２５ｂ）は、前記球受部材（６５ａ、６５ｂ／３５ａ、３５ｂ）が閉成された状態において、前記可変入賞装置（第１可変入賞球装置３４、第２可変入賞球装置６０）との間に少なくとも１個の遊技球（パチンコ球）が通過可能な間隙が形成されるように設けられている。
【００９０】
以上、本発明の実施例を図面により説明してきたが、具体的な構成はこれら実施例に限られるものではなく、本発明の要旨を逸脱しない範囲における変更や追加があっても本発明に含まれる。
【００９１】
例えば、上記実施例に記載した遊技機は、いわゆる第２種パチンコ遊技機であったが、本発明は遊技機の種別は特に限定されるものではなく、第２種以外の第１種または第３種パチンコ機に備えられる可変入賞装置にも適用可能である。
【００９２】
また、可変入賞装置の構造や、球受部材の形状等は上記実施例に記載したものに限定されるものではなく、種々に変形可能である。
【００９３】
また、上記実施例において、第２の規制手段（規制釘１２０ａ、１２０ｂ／規制釘１２４ｂ／ピン部材１２２、当接部材１２３／規制釘１２５ａ、１２５ｂ）は、第１の規制手段による規制機能が有効である場合において、球受部材６５ａ、６５ｂに当接しないように設けられていたが、第１の規制手段とともに当接規制し得るように設けられていてもよい。
【００９４】
【発明の効果】
本発明は以下の効果を奏する。
【００９５】
（ａ）請求項１項の発明によれば、部材の劣化等の要因により第１の規制手段による規制機能が無効となっても、球受部材や第１の規制手段等を交換することなく、第２の規制手段における球受部材との当接規制位置を調節することで、第１の規制手段にて規制されていた正規の開成範囲にて球受部材を容易に規制することが出来るため、可変入賞装置の耐久性を向上させることが出来る。
【００９６】
（ｂ）請求項２項の発明によれば、第１の規制手段による球受部材の回動範囲の規制機能が有効である状態において、球受部材が開成するたびに第２の規制手段と球受部材とが当接を繰り返して両者が物理的に劣化することがないので、可変入賞装置の機能を維持した状態で長期にわたって使用することが出来る。
【００９７】
（ｃ）請求項３項の発明によれば、第１の規制手段による球受部材の回動範囲の規制機能が有効である状態において、球受部材の開成時に遊技球の負荷が加わることで第２の規制手段と球受部材とが当接を繰り返して両者が物理的に劣化することがないので、可変入賞装置の機能を維持した状態で長期にわたって使用することが出来る。
【００９８】
（ｄ）請求項４項の発明によれば、当接規制位置の調節のために、遊技釘の配置位置を調節するための複雑な機構等を設けたりすることなく、遊技釘自体の形状を変化させることで当接規制位置を容易に調節することが出来るため、製造コストの低減化を図ることが出来るばかりか、当接規制位置の調節作業を容易に行うことが出来る。また、遊技盤に植設される他の遊技釘と同様の部材を利用するので、製造コストの低減化を図ることが出来るばかりか、外観体裁上違和感なく設けることが出来る。
【００９９】
（ｅ）請求項５項の発明によれば、第２の規制手段が球受部材の遊端側に設けられて遊技球の流下に影響が及んだり、第２の規制手段が球受部材の回動軸側に設けられて当接規制時における負荷が大となって十分な当接規制機能が得られなくなること等が効果的に回避される。
【０１００】
（ｆ）請求項６項の発明によれば、遊技者に付与される遊技価値が大きな可変入賞装置における球受部材の開成範囲が確実に規制されるため、特定遊技状態の発生で遊技者に付与される遊技価値に大きな差異が生じて、遊技者の有利度が大きく変わることが効果的に防止出来る。
【０１０１】
（ｇ）請求項７項の発明によれば、第２の規制手段と可変入賞装置との間で球詰まりが発生することがない。
【図面の簡単な説明】
【図１】実施の形態に係る遊技機の一例としてのパチンコ機の遊技盤の正面図である。
【図２】遊技盤の背面図である。
【図３】遊技盤に設けられた第２可変入賞球装置の正面図である。
【図４】第２可変入賞球装置の断面図である。
【図５】第２可変入賞球装置の一部を破断した斜視図である。
【図６】第２可変入賞球装置の一部の斜視図である。
【図７】遊技状態を制御する制御回路のブロック図である。
【図８】継続ラウンドパターンを示す表図である。
【図９】（ａ）は球受部材の閉成状態を示す第２可変入賞球装置の要部拡大図であり、（ｂ）は球受部材の開成状態を示す第２可変入賞球装置の要部拡大図である。
【図１０】（ａ）は球受部材の開成状態を示す第２可変入賞球装置の要部拡大図であり、（ｂ）は球受部材の開成状態時にパチンコ球の負荷が加わった状態を示す第２可変入賞球装置の要部拡大図である。
【図１１】図９（ｂ）のＡ−Ａ断面図である。
【図１２】（ａ）は第１の規制手段による規制機能が劣化した場合の球受部材の開成状態を示す図であり、（ｂ）は（ａ）のＢ−Ｂ断面図である。
【図１３】（ａ）は第２の規制手段により球受部材が正規な開成位置に調節された状態を示す図であり、（ｂ）は（ａ）のＣ−Ｃ断面図である。
【図１４】規制釘の配置位置の変形例を示す第２可変入賞球装置の要部拡大図である。
【図１５】（ａ）は第２の規制手段の変形例を示す第２可変入賞球装置の要部拡大図であり、（ｂ）は（ａ）のＤ−Ｄ断面図である。
【図１６】第２の規制手段を第１可変入賞球装置３４に適用した状態を示す概略図である。
【符号の説明】
３０　　遊技盤
３２　　遊技領域
３３　　ランプ
３４　　第１可変入賞球装置
３５ａ、３５ｂ　開閉翼片
３６　　ソレノイド
３７　　始動球検出スイッチ
３８ａ、３８ｂ　始動入賞口
３９ａ、３９ｂ　始動球検出スイッチ
４０　　通過ゲート
４１　　通過ゲートスイッチ
４２　　通過口
４３ａ、４３ｂ　入賞口
４４ａ、４４ｂ　肩下ランプ
４５ａ、４５ｂ　入賞口
４６ａ、４６ｂ　袖ランプ
４７ａ、４７ｂ　サイドランプ
４８　　逆流防止部材
４９　　アウト口
４９ａ、４９ｂ　通路溝
５０　　入賞球誘導カバー
５１　　アウト球誘導部材
６０　　第２可変入賞球装置
６１　　取付基板
６２　　入賞口
６３　　障害枠
６４　　表示器
６５ａ、６５ｂ　球受部材
６６　　ソレノイド
６７　　上部球転動板
６８ａ、６８ｂ　球入口
６９ａ、６９ｂ　球出口
７０　　入賞空間
７１ａ、７２ｂ　カウントスイッチ
７２ａ、７２ｂ　可動片
７３　　ソレノイド
７４　　キャラクター部材
７５　　盃
７６　　口
７７　　モータ
７８　　一時停止板
７９　　ソレノイド
８０　　下部球転動板
８１　　中央通路形成片
８２　　特定入賞領域
８３ａ、８３ｂ　通常入賞領域
８４　　Ｖカウントスイッチ
９０　　基本回路
９１　　スイッチ回路
９２　　アドレスデコード回路
９３　　初期リセット回路
９５　　モータ回路
９６　　音回制御基板
９７　　ランプ制御基板
９９　　ソレノイド回路
１０１　賞球信号出力回路
１０２　情報出力回路
１２０ａ、１２０ｂ　規制釘
１２１ａ、１２１ｂ　孔部
１２２　ピン部材
１２３　当接部材
１２４ｂ　　規制釘
１２５ａ、１２５ｂ　規制釘
１５０ａ、１５０ｂ　回動軸
１５１　リンク機構
１７７　スピーカ
５００　普通図柄表示器
６００　保留記憶表示器
【図１】
2004049755.tif 000003
【図２】
2004049755.tif 000004
【図３】
2004049755.tif 000005
【図４】
2004049755.tif 000006
【図５】
2004049755.tif 000007
【図６】
2004049755.tif 000008
【図７】
2004049755.tif 000009
【図８】
2004049755.tif 000010
【図９】
2004049755.tif 000011
【図１０】
2004049755.tif 000012
【図１１】
2004049755.tif 000013
【図１２】
2004049755.tif 000014
【図１３】
2004049755.tif 000015
【図１４】
2004049755.tif 000016
【図１５】
2004049755.tif 000017
【図１６】
2004049755.tif 000018